【手続補正書】
【提出日】平成30年8月3日(2018.8.3)
【手続補正１】
【補正対象書類名】特許請求の範囲
【補正対象項目名】全文
【補正方法】変更
【補正の内容】
【特許請求の範囲】
【請求項１】
−眼（100）の網膜（101）を照明するために、走査型視野計の動作中に、第１の交差地域（102A）で眼の瞳孔（102）を通過する照明ビーム（1）を投影するように適合された照射器（11）と、
−前記網膜によって反射された光のビーム（2）を受け取り、前記網膜の画像を取得するように適合された取得手段（27）と、
−走査方向（DS）に沿って、および走査期間（TS）で、前記網膜の表面上に、前記照明ビーム（1）を動かすように適合された走査手段（17）と、
−前記第１の交差地域（102A）と空間的に分離されている第２の交差領域（102B）で、走査型視野計の動作中に、前記網膜によって反射されかつ前記網膜の画像を取得するために前記取得手段によって使用された光のビーム（2）が、前記瞳孔（102）を通過するように、前記瞳孔において前記第２の交差領域（102B）を規定するように適合された光ビームの分離手段（16）と、
−走査型視野計の動作を制御する制御ユニット（50）とからなる走査型視野計であって、
−前記走査型視野計の動作中に、前記瞳孔（102）の第１の交差地域（102A）と前記瞳孔（102）の第２の交差領域（102B）との間に構成された分離領域（102D）で、第１の投影ビーム（3）が前記瞳孔（102）を通過し、前記網膜（101）の部分（1101）を照明するために、前記第１の投影ビーム（3）を投影するように適合された第１の投影手段（30）と、
−前記走査型視野計の動作中に、前記第１の交差地域（102A）または前記第２の交差領域（102B）で、第２の投影ビーム（4）が前記瞳孔（102）を通過し、少なくとも固定目標を前記網膜（101）の上に投影するために、前記第２の投影ビーム（4）を投影するように適合された第２の投影手段（41）と、
−前記走査型視野計の動作中に、前記第１の交差地域（102A）または前記第２の交差領域（102B）で、第３の投影ビーム（5）が前記瞳孔（102）を通過し、少なくとも光刺激を前記網膜（101）の上に投影するために、前記第３の投影ビーム（5）を投影するように適合された第３の投影手段（42）とを備えることを特徴とする走査型視野計(500)。
【請求項２】
前記第１の投影手段（30）が、前記照明ビーム（1）と、前記網膜によって反射された光のビーム（2）との間に位置する前記走査型視野計の第１の領域であって、前記光ビームの分離手段（16）の位置、または、前記光ビームの分離手段（16）と前記走査手段（17）との間の位置に、配置されることを特徴とする請求項１の走査型視野計。
【請求項３】
前記走査手段（17）が、前記走査型視野計の動作中に、前記走査方向（DS）に沿って、前記網膜の表面上で、周期的に、前記第２の投影ビーム（4）と前記第３の投影ビーム（5）とを動かすことを特徴とする請求項１または２の走査型視野計。
【請求項４】
前記走査型視野計の動作中に、前記走査期間（TS）の５０分の１より短い期間を持っている時間間隔の間に、前記第２と第３の投影手段（41、42）が、前記第２と第３の投影ビーム（4、5）を投影することを特徴とする請求項３の走査型視野計。
【請求項５】
前記走査型視野計の動作中に、前記走査手段（17）の動きに同期した方法で、前記第２と第３の投影手段（41、42）が、前記第２と第３の投影ビーム（4、5）を投影することを特徴とする請求項３または４の走査型視野計。
【請求項６】
前記走査型視野計の動作中に、前記第２と第３の投影手段（41、42）が、
前記走査手段（17）の走査周波数に等しい活性化周波数によって；または、
前記走査手段（17）の走査周波数の２倍に等しい活性化周波数によって；または、
前記走査手段（17）の走査周波数よりも低い活性化周波数によって、作動させられることを特徴とする請求項５の走査型視野計。
【請求項７】
前記第１の投影手段（30）が、少なくともLED（301、302）からなることを特徴とする請求項１から６のいずれかの走査型視野計。
【請求項８】
前記第１のエミッターが、異なるスペクトルバンドを持つ光を放射することができる少なくとも２つのLEDを含むことを特徴とする請求項７の走査型視野計。
【請求項９】
前記第１のエミッターが、少なくとも白色LED、および／または、少なくとも黄色LEDを含むことを特徴とする請求項８の走査型視野計。
【請求項１０】
前記第２の投影手段（41）が、１つ以上の第２のエミッター（411）と、１つ以上の第２の開口（4101）を持つ第２の投影マスク（410）からなり、
前記第３の投影手段（42）が、１つ以上の第３のエミッター（421、422、423）と、１つ以上の第３の開口（4201、4202、4203）を持つ第３の投影マスク（420）からなることを特徴とする請求項１から９のいずれかの走査型視野計。
【請求項１１】
前記第３の投影手段（42）は、前記走査方向（DS）に実質的に垂直な方向（DA）に従って、リバーシブルに動作できることを特徴とする請求項１０の走査型視野計。
【請求項１２】
前記走査型視野計の動作中、前記第２と第３の投影マスク（410、420）の少なくとも１つが、前記網膜と光学的に結合されている前記走査型視野計の第２の領域に配置され、前記走査型視野計は、前記走査型視野計の光学的な取得経路（2A）に、前記第２と第３の投影ビーム（4、5）を挿入するためのビームスプリッタ（22b）を備えていることを特徴とする請求項１０または１１のいずれかの走査型視野計。
【請求項１３】
前記第２と第３の投影マスク（410、420）の少なくとも１つが、前記照射器の近傍である前記走査型視野計の第３の領域に配置され、
前記第３の領域は、前記走査型視野計の動作中、前記網膜と光学的に結合されていることを特徴とする請求項１０または１１のいずれかの走査型視野計。
【請求項１４】
前記第２と第３の投影マスク（410、420）の少なくとも１つが、前記走査型視野計の共焦点絞り（23）の近傍である前記走査型視野計の第４の領域に配置され、
前記第４の領域は、前記走査型視野計の動作中、前記網膜と光学的に結合されていることを特徴とする請求項１０または１１のいずれかの走査型視野計。
【請求項１５】
前記第３の投影マスク（420）が、お互いに異なる大きさを持つ複数の第３の開口（4201、4202、4203）を含むことを特徴とする請求項１０から１４のいずれかの走査型視野計。
【請求項１６】
前記第３のエミッター(421、422、423)が、少なくともLEDからなることを特徴とする請求項１０から１５のいずれかの走査型視野計。
【請求項１７】
前記第３のエミッターが、異なるスペクトルバンドを持つ光を放射することのできる少なくとも２つのLEDを含むことを特徴とする請求項１６の走査型視野計。
【請求項１８】
前記第３のエミッターが、少なくとも白色LED、および／または、少なくとも青色のLEDを含むことを特徴とする請求項１７の走査型視野計。
【請求項１９】
受け取られた光のパワーを示している検出信号を提供するように適合された１つ以上の感光性の要素（451）を含む光検出手段（45）を備えたことを特徴とする請求項１から１８のいずれかの走査型視野計。
【請求項２０】
受け取られた光のパワーを示している検出信号を提供するように適合された１つ以上の感光性の要素（451）を含む光検出手段（45）を備え、
前記１つ以上の感光性の要素（451）が、前記第２の投影マスク（410）と動作可能に関連づけられ、前記第２の投影マスクは、前記感光性の要素の方への光の通過のために、第４の開口（4501）を備えることを特徴とする請求項１０の走査型視野計。
【請求項２１】
前記請求項１から２０のいずれかの走査型視野計（500）を動作させる方法であって、
−望ましい位置に固定目標を投影するために前記第２の投影手段（41）を作動させ；
−前記照射器（11）を作動させ；
−網膜のライブのビデオ画像を取得し；
−走査型視野計の任意の調整をし；
−網膜（101）の部分（1101）を均一に照明するために前記第１の投影手段（30）を作動させ；
−網膜（101）に光刺激を投影するために前記第３の投影手段（42）を作動させ；
−前記第３の投影手段（42）の作動中に、網膜のライブのビデオ画像を分析し、眼の任意の動きを検出し、検出された眼の任意の動きに基づいて、前記光刺激の位置を校正し；
−前記照射器によって、白色光、赤外光または着色された光を、網膜に投影することによって、網膜の画像を取得する
ステップから成ることを特徴とする走査型視野計（500）の動作方法。